(57)【要約】【課題】操作部にヒンジ機構によって回動可能に接続し、表示装置に撮影した映像を表示できるようにした電子カメラにおいて、自分撮りの時の操作性を向上させると共に、撮影時と非撮影時でズームレンズの全長が変わらない電子カメラにおいて、振動などによる精度の狂いをリセットできるようにした電子カメラを提供することが課題である。【解決手段】操作部と撮像部との相対的な回動角度の検出手段と、電子カメラにおける電源投入により撮影用ズームレンズを広角側に初期設定する制御と、前記回動角度検出手段からの信号を受けて撮像部の表示装置側への回動を認識し、前記ズームレンズのズーム倍率を上昇させる制御とをおこなう制御手段とを備えた。【選択図】      図５
2005051455.tif 000002
【特許請求の範囲】
【請求項１】
表示装置を有した操作部と、撮影用ズームレンズを備えて前記表示装置に映像を送る撮像部と、前記操作部と前記撮像部とを相対的に回動自在に連結する回動機構と、前記操作部と前記撮像部との相対的な回動を検出する検出手段と、電源投入により前記撮影用ズームレンズを広角側に初期設定する制御と、前記検出手段からの前記操作部と前記撮像部との相対的な回動の検出に応じて前記ズームレンズのズーム倍率を上昇させる方向に変更する制御と、をおこなう制御手段とを備えたことを特徴とする電子カメラ。
【請求項２】
ユーザによる電子カメラの電源投入手段を備え、前記操作部と前記撮像部との相対的な回動を検出する検出手段からの信号により、または、前記電源投入手段により、前記電源投入の動作をおこなうことを特徴とする請求項１に記載した電子カメラ。
【請求項３】
表示装置を有した操作部と、撮影レンズ窓と撮影用ズームレンズを備えて前記表示装置に映像を送る撮像部と、前記操作部と前記撮像部とを相対的に回動自在に連結する回動機構と、前記操作部と前記撮像部との相対的な回動を検出する検出手段と、前記撮影レンズ窓が前記表示装置の表示面側に位置するように前記撮像部を前記操作部に対して回動したことの前記検出手段の検出と、前記撮影レンズ窓が前記表示装置の表示面と反対側に位置するように前記撮像部を前記操作部に対して回動したことの前記検出手段の検出に応じて、前記撮影用ズームレンズを広角側に設定する制御と、前記撮影用ズームレンズのズーム倍率を上昇させる方向に変更する制御とを選択的におこなう制御手段とを備えたことを特徴とする電子カメラ。
【請求項４】
表示装置を有した操作部と、撮影レンズ窓と撮影用ズームレンズを備えて前記表示装置に映像を送る撮像部と、前記操作部と前記撮像部とを相対的に回動自在に連結する回動機構と、前記操作部と前記撮像部との相対的な回動を検出する検出手段と、前記撮影レンズ窓が前記表示装置の表示面側に位置するように前記撮像部を前記操作部に対して回動したことの前記検出手段の検出と、前記撮影レンズ窓が前記表示装置の表示面と反対側に位置するように前記撮像部を前記操作部に対して回動したことの前記検出手段の検出に応じて、前記撮影用ズームレンズのズーム倍率を上昇させる方向に変更する制御と、前記撮影用ズームレンズのズーム倍率を下降させる方向に変更する制御とを選択的におこなう制御手段とを備えたことを特徴とする電子カメラ。
【請求項５】
前記ズーム倍率を記憶する記憶手段を備え、前記制御手段は、前記記憶手段に記憶されたズーム倍率に基づいて前記ズーム倍率を変更する制御をおこなうことを特徴とする請求項１乃至４のいずれかに記載した電子カメラ。
【請求項６】
前記制御手段は、前記ズーム倍率を変更させる制御を所定倍率で停止させる制御をおこなうことを特徴とする請求項１乃至４のいずれかに記載した電子カメラ。
【請求項７】
前記制御手段は、前記撮像部側ズームレンズの合焦手段からの信号で算出した被写体までの距離と、前記所定倍率とにより該所定倍率となるズームレンズの焦点距離を算出し、該算出した焦点距離でズーム倍率の変更を停止させる制御をおこなうことを特徴とする請求項１乃至４のいずれかに記載した電子カメラ。
【請求項８】
前記操作部に、前記制御手段によるズーム倍率を変更させる制御を強制的に停止させる信号を発する手段を設けたことを特徴とする請求項１乃至４のいずれかに記載した電子カメラ。
【請求項９】
前記操作部に、前記制御手段によるズーム倍率を変更させる制御を予め定めた所定倍率で停止させる制御と、前記ズーム倍率を変更させる制御を強制的に停止させる信号を発する手段からの信号で強制停止させる制御とを選択する手段を設けたことを特徴とする請求項１乃至４のいずれかに記載した電子カメラ。
【発明の詳細な説明】
【０００１】
【発明の属する技術分野】
本発明は、電子カメラに関し、特に操作部と撮像部を回転機構で結合し、撮像部を回動できるようにした電子カメラに関するものである。
【０００２】
【従来の技術】
ＣＣＤなどの撮像素子を備え、画像をデジタル的に記録できるようにした電子カメラは、従来のフィルムを用いたカメラのように現像、焼き付けなどが不用で撮った画像をすぐ見ることができ、しかもＣＣＤなどの撮像素子は、１素子当たりの画素数が年々増大しているにもかかわらず従来のフィルムよりも小さく、それによってカメラ自体を小型に構成できるという利点がある。
【０００３】
またこういった電子カメラには、小型化のため、撮影時以外はレンズを本体内に収納する沈胴式とし、ズームレンズの焦点距離変更に伴ってレンズを伸縮させるようにしたものや、カメラを液晶等の表示装置を備えた操作部と撮影用ズームレンズを備えた撮像部とに分割し、両ユニットを相対的に回転可能に連結することで、ズームレンズの焦点距離を変更した場合も光学系の全長が変化しないようにしたもの、特許文献１に示したように、液晶等の表示部を備えたカメラ本体に対して撮像レンズと撮像素子とを内蔵した撮像部を回転可能に構成し、撮影時には撮像部をカメラ本体に対して撮影したい方向へ回転させ、非撮影時には撮像部をカメラ本体内方向へ回転させて本体内に収納することができるようにしたものなどがある。
【０００４】
【特許文献１】
特許第２９３１９０７号公報（図１）
【０００５】
【発明が解決しようとする課題】
このうち、液晶等の表示装置を備えた操作部と撮影用ズームレンズを備えた撮像部とに分割し、両ユニットを相対的に回転可能に連結した電子カメラや、特許文献１のように、表示部を備えたカメラ本体に対して撮像レンズと撮像素子とを内蔵した撮像部を回転可能に構成した電子カメラにおいては、撮像部を撮影者自身の方へ回転させ、撮影者自身を撮影する（以下、このようにして撮影者自身を撮影することを、自分撮りと称する）ことが可能である。しかしながらこのような自分撮りに際しては、通常、撮影者自身がカメラを保持して撮影する場合が多く、撮影距離はおよそ１ｍ以内となる。そのため、従来の電子カメラで自分撮りを行うと、撮影者自身の像が表示装置に大きく映し出され、そのつど、撮影倍率を調節しなければならない。
【０００６】
また、このようなズームレンズを用いた電子カメラにおいては、持ち歩いたときの振動によってレンズ精度に狂いが生じることがあるが、このような場合、前記した沈胴式の電子カメラでは電源オフによってレンズが沈胴するから、その時に初期位置に戻すことで狂いをリセットすることが可能である。しかし、このように非撮影時にレンズが収納されるタイプのカメラでは、撮影のために電源をオンしたときに撮影ができるようになるまで一定の時間を必要とし、起動するまでの時間が長くなってシャッターチャンスを逃すという欠点がある。
【０００７】
また、前記した液晶等の表示装置を備えた操作部と撮影用ズームレンズを備えた撮像部とに分割し、両ユニットを相対的に回転可能に連結することで、ズームレンズの焦点距離を変更した場合も光学系の全長が変化しないようにした電子カメラにおいては、電源オフ時にズームレンズが最後に撮影をおこなったときの焦点距離のままとすることができるから、電源オンしたときの起動時間が短くて済むが、振動によってレンズ精度に狂いが生じた場合はそれがリセットされず、画像に不具合が生じるという問題がある。
【０００８】
そのため本発明においては、撮影時と非撮影時でズームレンズの全長が変わらないよう構成した電子カメラにおいて、自分撮りに際して撮影倍率調節の煩わしさを解消して操作性を向上させると共に、振動などによる精度の狂いを確実にリセットできるようにした電子カメラを提供することが課題である。
【０００９】
【課題を解決するための手段】
上記課題を解決するため本発明においては、
表示装置を有した操作部と、撮影用ズームレンズを備えて前記表示装置に映像を送る撮像部と、前記操作部と前記撮像部とを相対的に回動自在に連結する回動機構と、前記操作部と前記撮像部との相対的な回動を検出する検出手段と、電源投入により前記撮影用ズームレンズを広角側に初期設定する制御と、前記検出手段からの前記操作部と前記撮像部との相対的な回動の検出に応じて前記ズームレンズのズーム倍率を上昇させる方向に変更する制御と、をおこなう制御手段とを備えたことを特徴とする。
【００１０】
このように、電子カメラにおける電源投入により撮影用ズームレンズを広角側に初期設定し、かつ、回動の検出手段から、操作部と撮像部との相対的な回動の検出信号を受けたとき、ズームレンズのズーム倍率を上昇させる方向に変更する制御をおこなうことにより、まず、振動などによってズームレンズに精度の狂いが生じても、電源投入により撮影用ズームレンズを広角側に初期設定することでこの狂いをリセットすることが可能となり、さらに撮影に当たってこの広角側からズームの倍率が上昇して行くから、所望の撮影倍率で上昇を停止すれば、撮影倍率を調節することが不用となって使い勝手の良い電子カメラを提供できる。
【００１１】
そして、ユーザによる電子カメラの電源投入手段を備え、前記操作部と前記撮像部との相対的な回動を検出する検出手段からの信号により、または、前記電源投入手段により、前記電源投入の動作をおこなうことにより、電子カメラの起動前に撮像部を回動させて準備した後電源を入れる場合は自動的に、起動した後撮像部を回転させる場合はユーザが電源投入をおこなうことができ、使い勝手の良い電子カメラを提供できる。
【００１２】
また本発明は、
表示装置を有した操作部と、撮影レンズ窓と撮影用ズームレンズを備えて前記表示装置に映像を送る撮像部と、前記操作部と前記撮像部とを相対的に回動自在に連結する回動機構と、前記操作部と前記撮像部との相対的な回動を検出する検出手段と、前記撮影レンズ窓が前記表示装置の表示面側に位置するように前記撮像部を前記操作部に対して回動したことの前記検出手段の検出と、前記撮影レンズ窓が前記表示装置の表示面と反対側に位置するように前記撮像部を前記操作部に対して回動したことの前記検出手段の検出に応じて、前記撮影用ズームレンズを広角側に設定する制御と、前記撮影用ズームレンズのズーム倍率を上昇させる方向に変更する制御とを選択的におこなう制御手段とを備えたことを特徴とする。
【００１３】
このように操作部と撮像部との相対的な回動の検出手段により、撮影レンズ窓が表示装置の表示面側に位置するように撮像部が回動した（自分撮り）ときと、撮影レンズ窓が表示装置の表示面と反対側に位置するように撮像部を回動した（自分撮りでない）とき、撮影用ズームレンズを広角側に設定する制御とズームレンズのズーム倍率を上昇させる制御とを選択的におこなうようにすることにより、自分撮りの場合は広角側からズームの倍率が上昇させ、所望の撮影倍率で上昇を停止させれば撮影倍率を調節することが不用となり、自分撮りでない場合は、振動などによってズームレンズに精度の狂いが生じても、撮影用ズームレンズを広角側に初期設定することでこの狂いをリセットすることが可能となり、使い勝手の良い電子カメラを提供することができる。
【００１４】
さらに本発明は、
表示装置を有した操作部と、撮影レンズ窓と撮影用ズームレンズを備えて前記表示装置に映像を送る撮像部と、前記操作部と前記撮像部とを相対的に回動自在に連結する回動機構と、前記操作部と前記撮像部との相対的な回動を検出する検出手段と、前記撮影レンズ窓が前記表示装置の表示面側に位置するように前記撮像部を前記操作部に対して回動したことの前記検出手段の検出と、前記撮影レンズ窓が前記表示装置の表示面と反対側に位置するように前記撮像部を前記操作部に対して回動したことの前記検出手段の検出に応じて、前記撮影用ズームレンズのズーム倍率を上昇させる方向に変更する制御と、前記撮影用ズームレンズのズーム倍率を下降させる方向に変更する制御とを選択的におこなう制御手段とを備えたことを特徴とする。
【００１５】
このように操作部と撮像部との相対的な回動の検出手段により、撮影レンズ窓が表示装置の表示面側に位置するように撮像部が回動したこと（自分撮り）を検出したときと、撮影レンズ窓が表示装置の表示面と反対側に位置するように撮像部を回動したこと（自分撮りでない）を検出したとき、ズームレンズのズーム倍率を上昇させる制御と下降させる制御とを選択的におこなうことにより、自分撮りの場合はと自分撮りでない場合とで、ズーム倍率の上昇と下降を自由に選択でき、使い勝手の良い電子カメラを提供することができる。
【００１６】
そして前記ズーム倍率を記憶する記憶手段を備え、前記制御手段は、前記記憶手段に記憶されたズーム倍率に基づいて前記ズーム倍率を変更する制御をおこなうことにより、撮影者はズーム倍率を心配することなく最適な倍率を得ることができる。
【００１７】
そして前記制御手段は、前記ズーム倍率を上昇させる制御を所定倍率で停止させる制御することにより、撮影者はなんの操作をすることなく、最適な撮影倍率を得ることができる。
【００１８】
さらにこの前記制御手段は、前記撮像部側ズームレンズの合焦手段からの信号で算出した被写体までの距離と、前記所定倍率とにより該所定倍率となるズームレンズの焦点距離を算出し、該算出した焦点距離でズーム倍率の変更を停止させることにより、自分撮りを撮影者が手持ちでおこなう場合も三脚に固定しておこなう場合も、表示装置上における被写体の大きさを常に一定にして撮影することができ、非常に使い勝手の良い電子カメラを提供することができる。
【００１９】
また、このように自動的に所定倍率とするのではなく、前記操作部に、前記制御手段によるズーム倍率を変更させる制御を強制的に停止させる信号を発する手段を設け、手動でズーム倍率を決定するようにすれば、撮影者の好みの倍率で撮影をおこなうことができる。
【００２０】
そしてさらに前記操作部に、前記制御手段によるズーム倍率を変更させる制御を予め定めた所定倍率で停止させる制御と、前記ズーム倍率を変更させる制御を強制的に停止させる信号を発する手段からの信号で強制停止させる制御とを選択する手段を設けることにより、撮影者はこの両者から自由に選択して自分撮りをおこなうことができる。
【００２１】
【発明の実施の形態】
以下、図面に基づいて本発明の実施の形態を例示的に詳しく説明する。但し、この実施の形態に記載されている構成部品の寸法、材質、形状、その相対配置などは、特に特定的な記載がない限りはこの発明の範囲をそれのみに限定する趣旨ではなく、単なる説明例に過ぎない。
【００２２】
図１は本発明になる電子カメラの一実施形態の全体図、図２は本発明になる電子カメラのレンズを被写体方向に向けた撮影状態を示した図、図３は本発明になる電子カメラのレンズを、自分撮りのためにカメラ操作者（自分）方向に向けた撮影状態を示した図、図４は本発明になる電子カメラの一実施形態の制御回路ブロック図、図５は本発明になる電子カメラの一実施形態における自分撮りの際の動作フロー図、図６は操作部と撮像部とを相対的に回転させる回転機構としてのヒンジ機構の一例を撮像部側に組み込み、操作部における上カバーと内部構成部品を取り去って結合部を示した斜視図、図７は図６に示したヒンジ機構の一例を分解した斜視図、図８は本発明になる電子カメラの第二実施形態における動作フロー図である。
【００２３】
図中１００は本発明になる電子カメラ、１０１は撮像部、１０２は操作部、１０３は撮影レンズ窓、１０４はストロボなどの発光装置、１０５は液晶などを用いた表示装置、１０６はシャッター釦、１０７は電源釦、１０８は十字キーと決定キーで構成され、表示装置１０５に表示された機能や項目を選択するための選択決定キー、１０９は光学系ズーミングを指示するズームキー、１１０はカメラモードメニューのオン、オフを切り替えるメニュー釦、１１１は表示装置１０５の表示内容と照明のオン、オフを切り替えるディスプレイ釦、１１２は表示装置１０５の表示内容をシーンセレクト選択画面に切り替えるシーン釦、１１３は絞り優先モードやシャッター優先モード、高速で動く被写体を撮影するスポーツモード、近距離のものを撮影するマクロモード、ストロボの強制発光や発光停止等のストロボ制御、動画撮影、再生などのモードを選択するモードセレクト釦、１１４はスピーカである。
【００２４】
図４において、１０は電子カメラの撮像用光学系における焦点距離を変化させるためのズームレンズ、１１は同じく撮像用光学系の中に含まれる合焦（オートフォーカス：ＡＦ）用レンズ、１２はＣＣＤなどを用いた撮像素子、１３はズーム用レンズを移動させるカム機構などを駆動するズームモータ、１４は合焦（ＡＦ）用レンズを移動させるＡＦモータ、１５はズームモータ駆動用のドライバ回路、１６は合焦用のＡＦモータを駆動するＡＦモータドライバ回路、２０は撮像素子１２の駆動回路、２１は信号処理回路、２２は各種の制御情報などを記憶しているメモリで、例えば自分撮りの時に表示装置１０５への自分が表示される大きさ、すなわち所定ズーム倍率などを記憶してある。２３は外部機器とのデータや信号のやりとりをするためのＵＳＢなどの外部インターフェイス、２４は撮像された画像を記憶するためのメモリーカードなどの外部記憶装置、２５はこのメモリカード２４のインターフェイス、２６は表示装置１０５のドライバ回路、２７は被写体の光量や色温度などを測定する測光・調光ブロック、２８は発光装置としてのストロボとその駆動回路、２９は前記したシャッター釦１０６、選択決定キー１０８、ズームキー１０９、メニュー釦１１０、ディスプレイ釦１１１、シーン釦１１２、モードセレクト釦１１３などの各種釦からキー入力信号、３０は電源のオン状態などを外部に知らせるための外部ＬＥＤ表示装置の駆動回路、３１は自分撮りに際してズーミングがおこなわれたときにそれを強制的に停止させるズーム停止釦、３２は自分撮りに際して所定倍率でズーミングを自動的に停止させるか手動で強制的に停止させるかを選択するための切り替え釦である。
【００２５】
図６、図７において、３０３は操作部１０２側に設けられたサブ基板、３０８は操作部１０２の下カバー、４０１は撮像部１０１の下カバー、４０２は撮像部１０１の上カバー、５００は撮像部１０１側を操作部１０２に対して回動させるヒンジシャフト、５０１は撮像部１０１側に固定され、ヒンジシャフト５００をキー溝にて回転止めするヒンジレンズプレート、５０２は操作部１０２側に固定され、レンズシャフト５００を回動可能とする軸受けとしてのヒンジボディプレート、５０３はヒンジシャフト５００を円形バネ５０４、ヒンジボディプレート５０２、ヒンジレンズプレート５０１を通して抜け止めするためのＣＥリング、５０４はヒンジシャフト５００のフランジ５０５とヒンジボディプレート５０２との間に挟んでフリクションとクリックを与える弾性部材としての円形バネで、この円形バネ５０４には、２箇所の頂部にクリック用突起５０６、５０７を設けてある。５０８はその一部に反射パターン５０９を有し、シャフト５００のフランジ部５０５に貼り付けて、発光素子と受光素子を一体としたフォトリフレクター５１０などの光電素子によって操作部１０２に対する撮像部１０１の相対的な回動角度や単に回動を検出するためのヒンジマーカー、５１３は撮像部１０１の下カバー４０２に設けたヒンジレンズプレート５０１の固定部、５３１はレンズシャフト５００をヒンジレンズプレート５０１にＣＥリング５０３によって抜け止めするためのキー溝、５３４、５３５はヒンジレンズプレート５０１におけるレンズシャフト５００に設けたキー溝５３１と噛み合うキー凸、５３７はＣＥリング５０３を填め込む溝である。
【００２６】
本発明になる電子カメラ１００は、図１乃至３に示したように、操作部１０２側に表示装置１０５と一般的な撮影用操作釦類１０６乃至１１３を配し、この操作部１０２にヒンジ機構などの回転機構で回動可能に接続された撮像部１０１の一端側には、撮影レンズ窓１０３、その操作部１０２側に発光装置用の窓１０４を配してある。そしてこの撮像部１０１の内部には、撮影レンズ窓１０３の背後に撮影用ズームレンズが、そしてその隣に、ズームレンズを構成するレンズ群を進退させるためのカム機構が配され、これらズームレンズとカム機構の奥側、すなわち撮影レンズ窓１０３と逆側に発光装置用コンデンサなどの電装部品が配されている。そして操作部１０２における撮影用操作釦類１０６乃至１１３は、Ｙシャツの胸ポケットやＧパンの臀部ポケットなどに収容した場合でも引っかかりや違和感を感じさせないよう、操作部１０２の外カバーの平面から突出しないように設けられ、さらに、シャッター釦１０６はカメラ１００を右手で保持したときに人差し指で操作可能とし、ズームキー１０９、選択決定キー１０８、メニュー釦１１０、モードセレクト釦１１３などは、同じく右手でカメラ１００を保持したとき、親指の届く範囲に配置して操作性を高めてある。
【００２７】
そして本発明になる電子カメラ１００は、表示装置１０５を常時視認できるよう撮影者の方に向けたまま、図２に示したように撮像部１０１を被写体の方に向けたり、図３に示したように逆に回動させて撮影レンズ窓１０３がカメラ操作者（自分）の方を向くようにし、自分撮りもできるようになっている。また本発明になる電子カメラ１００は、撮像部１０１の撮影レンズ窓１０３側の端から発光装置用の窓１０４側の端までの長さＬ１（図３）を、例えば左手人差し指の先端から第２関節近辺までの長さとし、かつ、撮像部１０１における撮影レンズ窓１０３とは逆側の長さをＬ２（図３）としたとき、発光装置窓１０４部分の（Ｌ１−Ｌ２）に相当する部位の光軸方向厚さＬ３（図３）を、略人差し指の厚さとしてＲを付けて操作部１０２側に張り出して構成してある。このようにすることで、操作部１０２における表示装置１０５の右側に操作釦類を配置するためのスペースを作ることができ、小型でありながら、操作性の良い電子カメラを構成することができる。また撮影レンズ窓１０３からヒンジ機構の回動中心までの距離は、ヒンジ機構の回動中心から撮影レンズ窓１０３とは逆側の端までの距離より大きくとってある。
【００２８】
そしてこの電子カメラ１００を使うときは、電源釦１０７を押下することで図４のシステムコントローラ３３に信号が送られて電源がオンとなるから、前記したように親指で各操作釦を操作すると、これらの信号は図４のキー入力２９からシステムコントローラ３３に送られ、それぞれの釦（キー）で指示された内容がこのシステムコントローラ３３で実行される。すなわち、モードセレクト釦１１３によって選択された絞り優先モードやシャッター優先モードなどの撮影条件、高速で動く被写体を撮影するスポーツモード、近距離のものを撮影するマクロモード、ストロボの強制発光や発光停止等のストロボ制御、動画撮影、再生などのモードを選択すると、それぞれの選択結果に応じた動作がおこなわれ、また、必要に応じてメニュー釦１１０を押下して表示装置１０５に例えば画像のサイズ、撮影感度、測光方式などの各種メニューを表示させ、十字キーと決定キーで構成された選択決定キー１０８の十字キーで項目を選択し、中央の決定釦で決定することにより、これらの選択結果が同様にしてシステムコントローラ３３に送られて実行される。
【００２９】
そして、図２に示したように被写体の方に撮影レンズ窓１０３を向け、表示装置１０５に映し出された被写体を見ながら右手親指で撮像部１０１のズームキー１０９を操作し、所定の倍率を選択して構図を決定した後、右手人差し指でシャッター釦１０６を押下する。すると、これらの釦からの信号がシステムコントローラ３３、信号処理回路２１を介してズームモータドライバ１５、ＡＦモータドライバ１６に送られ、ズームモータ１３、ＡＦモータ１４が駆動されて所望倍率にまでズームされて合焦されると共に、測光・調光ブロック２７からの信号によって露出が決定され、内蔵されたＣＣＤなどの撮像素子１２によって撮影された画像が撮像素子駆動回路２０、信号処理回路２１、カードインターフェース２５を介してメモリーカード２４に送られて記録される。
【００３０】
こうして撮影が済んだら、モードセレクト釦１１３を操作して再生モードにすると、その信号がやはりシステムコントローラ３３から信号処理回路２１を介してメモリカードインターフェース２５、表示装置ドライバ２６に送られ、記録された画像が表示装置１０５に表示され、選択決定キー１０８における十字キーを操作することで順次撮影した画像を表示させることができる。なお、動画撮影モードの場合は、全く同様にして動画をメモリに記録し、シーン釦１１２によって必要なシーンを選択し、スピーカ１１４によって音声も同時に再生させることができる。
【００３１】
このように構成した本発明になる電子カメラ１００の撮像部１０１と操作部１０２は、一例として図６、図７で示したようなヒンジ機構で構成された回転機構で結合されている。図６はヒンジ機構を撮像部１０１に組み込み、操作部１０２における上カバーと内部構成部品を取り去って結合部を示した斜視図、図７はこのヒンジ機構を分解した斜視図である。なお、この図６、図７で示したヒンジ機構を用いた回転機構は一例であり、構成もこのような形に限られないことは明かである。
【００３２】
このヒンジ機構におけるヒンジシャフト５００は、一端にフランジ５０５を、他端側にＣＥリング５０３を填め込む溝５３７を有し、また溝５３７側にヒンジレンズプレート５０１に対して回り止めするためのキー溝５３１が設けられている。一方、ヒンジレンズプレート５０１には、このヒンジシャフト５００のキー溝５３１に対応したキー凸５３４、５３５が設けられている。そしてこのヒンジ機構は、図６、図７に示したように、ヒンジレンズプレート５０１のネジ孔５１１にビスを通し、撮像部１０１の下カバー４０１、上カバー４０２に設けられた固定部５１３（図７）に固定する。またヒンジボディプレート５０２は、同様にして操作部１０２の図示していない固定部に固定する。
【００３３】
そして、ヒンジシャフト５００のフランジ部５０５に、一部に反射パターン５０９を有したヒンジマーカー５０８を貼り付け、円形バネ５０４、ヒンジボディプレート５０２を通し、ヒンジレンズプレート５０１に設けられたキー凸５３４、５３５にヒンジシャフト５００のキー溝５３１を合わせて挿入する。そして、ヒンジレンズプレート５０１のレンズ系側でヒンジシャフト５００に設けられた溝５３７にＣＥリングを填め込み、ヒンジレンズプレート５０１側で回り止めと抜け止めをして固定する。そして、発光素子と受光素子とで構成したフォトリフレクタ５１０を、図６に示したように、ヒンジマーカー５０８上の反射パターン５０９を検出できる位置となるサブ基板３０３上に固定する。また円形バネ５０４は、２箇所の頂部にクリック用突起５０６、５０７を有し、ヒンジシャフト５００のフランジ５０５に設けられた凹部と係合して位置決めできるようになっている。
【００３４】
このようにヒンジ機構を構成することにより、撮像部１０１と操作部１０２とは、円形バネ５０４によって適度なフリクションが与えられて回動でき、しかもこの円形バネ５０４には、前記したように所定角度まで回動したとき、ヒンジシャフト５００のフランジ５０５に設けられた係止用凹部に係止する突起５０６、５０７が設けられているから、例えば９０度回動させた位置、−９０度回動させた位置など、撮影に最適な位置で係止することができる。そして、例えば自分撮りのために図３に示したように撮像部１０１を−９０度回動させた場合、フォトリフレクタなどの光電素子５１０がヒンジマーカー５０８の反射パターン５０９を検出し、撮像部１０１が表示装置１０５側に回動したとしてその信号を図４の信号処理回路２１を通してシステムコントローラ３３に送り、操作部１０２の表示装置１０５と撮像部１０１の撮影レンズ窓１０３が同一方向にあって、自分撮りをしようとしていることが判断できるようになっている。
【００３５】
なお、以上の説明では、ヒンジマーカー５０８上の反射パターン５０９を、回動角度を検出するように説明してきたが、これは角度の検出だけに限らず、前記したように回動が有ったことを検出したり、またはエンコーダのように、回動した角度まで検出できるようにしても良い。また検出も、フォトリフレクタだけに限らず、機械的な構成とスイッチにより、撮像部１０１と操作部１０２の相対的な回動によって電源を入れるような機構にしても良い。
【００３６】
次に、自分撮りをおこなう場合の動作を、図４に示したブロック図と図５に示したフロー図に基づいて詳細に説明する。本発明の電子カメラ１００は、図５におけるステップＳ２で図４に示した電源釦１０７が押下されると、前記したように信号がシステムコントローラ３３に送られ、このときステップＳ３に示したようにシステムコントローラ３３は、信号処理回路２１を介してズームモータドライバ１５に信号を送ってズームモータ１３を駆動し、ズームレンズ１０を広角側に初期設定する。そしてこの時、例えば振動などでレンズ系に狂いが生じている場合、それらをこの初期設定によりリセットできるようにしてある。そして次のステップＳ４でシステムコントローラ３３は、信号処理回路２１を介して光電素子５１０が検出する信号を受け取り、撮像部１０１の回転が自分撮りの方向かどうかを判断する。すなわち前記したように、ヒンジ機構のヒンジシャフト５００には反射パターン５０９を有したヒンジマーカー５０８が貼り付けられており、撮像部１０１が表示装置１０５とは反対側（すなわち＋９０度方向）に回転したときは自分撮りではないと判断してステップＳ１１に進み、表示装置１０５側（すなわち−９０度方向）に回転したときは自分撮りと判断してステップＳ５に進む。
【００３７】
そして次のステップＳ５でシステムコントローラ３３は、自分撮りの場合のズーム倍率設定を自動でおこなうか手動でおこなうかを切り替えるための釦３２からの信号を参照し、手動の場合はステップＳ６に、自動の場合はステップＳ８に進む。そしてステップＳ６に進んだ場合、信号処理回路２１を介してズームモータドライバ１５に信号を送り、ズームモータ１３を駆動してズーム倍率を上昇させてゆく。そして、次のステップＳ７でズーム停止釦３１が押下されたかどうかを監視し、押されていない場合は元に戻り、押された場合は信号処理回路２１を介してズームモータドライバ１５に信号を送り、ズームモータ１３の駆動を停止する。そのためズームレンズ１０は、所望の倍率で停止する。
【００３８】
なおこの場合、ズーム停止釦３１が何時までも押下されないときは、例えばズームレンズ１０が望遠端側まで駆動されたときに今度は逆に広角側にズームレンズ１０を駆動し、さらにまた広角側の端までいったら今度は望遠側に駆動する、ということを何回か繰り返し、その後広角側、または望遠側でズームレンズ１０の駆動を停止するか、以下に説明する倍率自動設定モードに移行する、などの処置を取るようにしても良い。
【００３９】
そして、前記ステップＳ５からステップＳ８、すなわちズーム倍率を自動設定に進んだ場合、ステップＳ８においてシステムコントローラ３３は、信号処理回路２１を介してＡＦモータドライバ１６からＡＦモータ１４の駆動結果を取得し、電子カメラ１００と被写体との距離Ｌを算出する。そして次にシステムコントローラ３３は、メモリ２２に記憶されている自分撮りの場合の所定倍率Ｚを読み出し、被写体との距離Ｌと所定倍率Ｚととからズームレンズ１０における目標焦点距離ｆを算出する。すなわち所定倍率Ｚとズームレンズ１０の焦点距離ｆ、電子カメラ１００と被写体までの距離Ｌは、次の式（１）で算出できる。
ズーム倍率Ｚ＝レンズ焦点距離ｆ／被写体までの距離Ｌ  ……  （１）
【００４０】
そして、次のステップＳ９でシステムコントローラ３３は、信号処理回路２１を介してズームモータドライバ１５からズームモータ１３の駆動結果を取得し、ズームレンズ１０の焦点距離がこの目標焦点距離Ｆと一致しているかどうか判断し、一致している場合はステップＳ１１に進んで終了し、一致していない場合はステップＳ１０で信号処理回路２１を介してズームモータドライバ１５に指示を与え、ズームレンズ１０のズーム倍率上昇を指示する。そのためズームレンズ１０はズーム倍率が上昇し始めるから、ステップＳ９、Ｓ１０のサイクルをズームレンズ１０の焦点距離が目標焦点距離Ｆと一致するまで繰り返し、一致したらズームモータドライバ１５に指示してズームモータ１３の駆動を停止し、倍率上昇を停止させてステップＳ１１に進み、処理を終了する。
【００４１】
なお、自分撮りのために撮像部１０１が操作部１０２の表示装置１０５と同じ側を向いてステップＳ４でそれが検出されたときは、前記したように表示装置１０５に通常の撮影の場合と同様に画像を表示すると、表示される画像の上下が逆になるため、システムコントローラ３３は、画像の上下を逆にして表示するよう信号処理回路２１に指示し、信号処理回路２１は、撮像素子１２から撮像素子駆動回路２０から送られてくる画像を上下逆の画像として表示装置ドライバ２６を介し、表示装置１０５に送って表示する。そのため、撮像部１０１をどのように回動させても、違和感無く撮影をおこなうことができる。なお、この撮像部１０１の回動角度検出は、光電素子５１０を用いておこなうようにしたが、前記したように機械的な接点などを用いても良いことは明かである。また、以上の説明では、自分撮りの場合はズーム倍率を上昇させるよう説明したが、これは自分撮りでない場合も同様に制御しても良く、逆に、そのどちらの場合においても下降させた後上昇するように制御しても良い。
【００４２】
次に、図８を用いて本発明になる電子カメラの第二実施形態における動作を説明する。以上の説明では、ステップＳ２で最初に電源投入があったかを検出し、その後撮像部の回動角度を検出して自分撮りかそうでないかを判断したが、この図８に示した第二実施形態においては、自分撮りが電源投入前にわかった場合は自動的に電源を投入し、それによって前記したのと同様な動作をおこなうようにすると共に、自分撮りでない場合も、ズームレンズを広角側に初期設定するようにしたものである。
【００４３】
この第二実施形態のフローにおける動作は、電子カメラの起動前に撮像部１０１を回動させて準備した場合は自動的に、起動した後撮像部を回動させる場合はユーザが電源投入をおこなうことができるようにしたもので、撮像部１０１を回動させたときに電源を投入する場合は、前記したように機械的な構成とスイッチにより、撮像部１０１と操作部１０２の相対的な回動によって電源を入れるような機構を用いるようにすればよい。そのため、ステップＳ２１で撮像部１０１が回動されると、前記したようにヒンジシャフト５００に貼られた反射パターン５０９を有したヒンジマーカー５０８からの信号で、システムコントローラ３３は信号処理回路２１を介して光電素子５１０が検出する信号を受け取り、回動方向が操作部１０２がの表示装置１０５側かどうかを判断して撮像部１０１の回転が自分撮りの方向かどうかを判断する。そして自分撮りの場合はステップＳ２２に、自分撮りでない場合はステップＳ３０に進み、電源を自動的に投入する。そして自分撮りでない場合は、次のステップＳ３１でシステムコントローラ３３は、信号処理回路２１を介してズームモータドライバ１５に信号を送ってズームモータ１３を駆動し、ズームレンズ１０を広角側に初期設定して終了する。
【００４４】
一方自分撮りの場合は、ステップＳ２４でシステムコントローラ３３は、自分撮りの場合のズーム倍率設定を自動でおこなうか手動でおこなうかを切り替えるための釦３２からの信号を参照し、手動の場合はステップＳ２５に、自動の場合はステップＳ２７に進む。そしてステップＳ２５に進んだ場合、信号処理回路２１を介してズームモータドライバ１５に信号を送り、ズームモータ１３を駆動してズーム倍率を上昇させてゆく。そして、次のステップＳ２６でズーム停止釦３１が押下されたかどうかを監視し、押されていない場合は元に戻り、押された場合は信号処理回路２１を介してズームモータドライバ１５に信号を送り、ズームモータ１３の駆動を停止する。そのためズームレンズ１０は、所望の倍率で停止する。
【００４５】
なおこの場合、ズーム停止釦３１が何時までも押下されないときは、例えばズームレンズ１０が望遠端側まで駆動されたときに今度は逆に広角側にズームレンズ１０を駆動し、さらにまた広角側の端までいったら今度は望遠側に駆動する、ということを何回か繰り返し、その後広角側、または望遠側でズームレンズ１０の駆動を停止するか、以下に説明する倍率自動設定モードに移行する、などの処置を取るようにしても良いのは前記したとおりである。
【００４６】
そして、前記ステップＳ２４からステップＳ２７、すなわちズーム倍率を自動設定に進んだ場合、ステップＳ２７においてシステムコントローラ３３は、信号処理回路２１を介してＡＦモータドライバ１６からＡＦモータ１４の駆動結果を取得し、電子カメラ１００と被写体との距離Ｌを算出する。そして次にシステムコントローラ３３は、メモリ２２に記憶されている自分撮りの場合の所定倍率Ｚを読み出し、被写体との距離Ｌと所定倍率Ｚととから前記式（１）により算出する。
【００４７】
そして、次のステップＳ２８でシステムコントローラ３３は、信号処理回路２１を介してズームモータドライバ１５からズームモータ１３の駆動結果を取得し、ズームレンズ１０の焦点距離がこの目標焦点距離Ｆと一致しているかどうか判断し、一致している場合はステップＳ２９に進んで終了し、一致していない場合はステップＳ１０で信号処理回路２１を介してズームモータドライバ１５に指示を与え、ズームレンズ１０のズーム倍率上昇を指示する。そのためズームレンズ１０はズーム倍率が上昇し始めるから、ステップＳ２８、Ｓ２９のサイクルをズームレンズ１０の焦点距離が目標焦点距離Ｆと一致するまで繰り返し、一致したらズームモータドライバ１５に指示してズームモータ１３の駆動を停止し、倍率上昇を停止させてステップＳ１１に進み、処理を終了する。
【００４８】
なお、自分撮りのために撮像部１０１が操作部１０２の表示装置１０５と同じ側を向いてステップＳ２１でそれが検出されたときは、前記したように表示装置１０５に通常の撮影の場合と同様に画像を表示すると、表示される画像の上下が逆になるため、システムコントローラ３３は、画像の上下を逆にして表示するよう信号処理回路２１に指示し、信号処理回路２１は、撮像素子１２から撮像素子駆動回路２０から送られてくる画像を上下逆の画像として表示装置ドライバ２６を介し、表示装置１０５に送って表示することは前記したとおりである。
【００４９】
次に、図９に示した第三実施形態のフロー図に基づいて説明する。この第三実施形態でも第二実施形態と同様、電子カメラの起動前に撮像部１０１を回動させて準備した場合は自動的に、起動した後撮像部を回動させる場合はユーザが電源投入をおこなう。そのため、ステップＳ４１で撮像部１０１が回動されると、前記したようにヒンジシャフト５００に貼られた反射パターン５０９を有したヒンジマーカー５０８からの信号で、システムコントローラ３３は信号処理回路２１を介して光電素子５１０が検出する信号を受け取り、回動方向が操作部１０２の表示装置１０５側かどうかを判断して撮像部１０１の回転が自分撮りの方向かどうかを判断する。そして自分撮りの場合はステップＳ４２に、自分撮りでない場合はステップＳ５０に進み、電源を自動的に投入する。そして自分撮りでない場合は、次のステップＳ５１でシステムコントローラ３３は、信号処理回路２１を介してズームモータドライバ１５に信号を送ってズームモータ１３を駆動し、ズーム倍率を上昇させる。
【００５０】
一方自分撮りの場合は、ステップＳ２４でシステムコントローラ３３は、ステップＳ４３でズームレンズを広角側へ初期設定し、次のステップＳ４４で自分撮りの場合のズーム倍率設定を自動でおこなうか手動でおこなうかを切り替えるための釦３２からの信号を参照し、手動の場合はステップＳ４５に、自動の場合はステップＳ４７に進む。そしてステップＳ４５に進んだ場合、信号処理回路２１を介してズームモータドライバ１５に信号を送り、ズームモータ１３を駆動してズーム倍率を上昇させてゆく。そして、次のステップＳ４６でズーム停止釦３１が押下されたかどうかを監視し、押されていない場合は元に戻り、押された場合は信号処理回路２１を介してズームモータドライバ１５に信号を送り、ズームモータ１３の駆動を停止する。そのためズームレンズ１０は、所望の倍率で停止する。
【００５１】
なおこの場合、ズーム停止釦３１が何時までも押下されないときは、例えばズームレンズ１０が望遠端側まで駆動されたときに今度は逆に広角側にズームレンズ１０を駆動し、さらにまた広角側の端までいったら今度は望遠側に駆動する、ということを何回か繰り返し、その後広角側、または望遠側でズームレンズ１０の駆動を停止するか、以下に説明する倍率自動設定モードに移行する、などの処置を取るようにしても良いのは前記したとおりである。
【００５２】
そして、前記ステップＳ４４からステップＳ４７、すなわちズーム倍率を自動設定に進んだ場合、ステップＳ４７においてシステムコントローラ３３は、信号処理回路２１を介してＡＦモータドライバ１６からＡＦモータ１４の駆動結果を取得し、電子カメラ１００と被写体との距離Ｌを算出する。そして次にシステムコントローラ３３は、メモリ２２に記憶されている自分撮りの場合の所定倍率Ｚを読み出し、被写体との距離Ｌと所定倍率Ｚととから前記式（１）により算出する。
【００５３】
そして、次のステップＳ４８でシステムコントローラ３３は、信号処理回路２１を介してズームモータドライバ１５からズームモータ１３の駆動結果を取得し、ズームレンズ１０の焦点距離がこの目標焦点距離Ｆと一致しているかどうか判断し、一致している場合はステップＳ５２に進んで終了し、一致していない場合はステップＳ４９で信号処理回路２１を介してズームモータドライバ１５に指示を与え、ズームレンズ１０のズーム倍率上昇を指示する。そのためズームレンズ１０はズーム倍率が上昇し始めるから、ステップＳ４８、Ｓ４９のサイクルをズームレンズ１０の焦点距離が目標焦点距離Ｆと一致するまで繰り返し、一致したらズームモータドライバ１５に指示してズームモータ１３の駆動を停止し、倍率上昇を停止させてステップＳ１１に進み、処理を終了する。
【００５４】
なお、自分撮りのために撮像部１０１が操作部１０２の表示装置１０５と同じ側を向いてステップＳ２１でそれが検出されたときは、前記したように表示装置１０５に通常の撮影の場合と同様に画像を表示すると、表示される画像の上下が逆になるため、システムコントローラ３３は、画像の上下を逆にして表示するよう信号処理回路２１に指示し、信号処理回路２１は、撮像素子１２から撮像素子駆動回路２０から送られてくる画像を上下逆の画像として表示装置ドライバ２６を介し、表示装置１０５に送って表示することは前記したとおりである。また、以上の説明では、ズームレンズを広角側に設定する制御を自分撮りの場合と自分撮りでない場合とに分けておこない、また、ズーム倍率を上昇の制御についても同様に分けておこなうよう説明してきたが、そのいずれにおいてもズームレンズを広角側に設定する制御と上昇させる制御をおこなったり、ズームレンズの倍率を上昇させたり下降させたりする制御をおこなうように制御しても良い。
【００５５】
このように本発明によれば、電子カメラ１００における
電子カメラ１００における電源投入により撮影用ズームレンズ１０を広角側に初期設定し、かつ、回動の検出手段５１０から、操作部１０２と撮像部１０１との相対的な回動の検出信号を受けたとき、ズームレンズ１０のズーム倍率を上昇させる方向に変更する制御をおこなうことにより、まず、振動などによってズームレンズに精度の狂いが生じても、電源投入により撮影用ズームレンズ１０を広角側に初期設定することでこの狂いをリセットすることが可能となり、さらに撮影に当たってこの広角側からズームの倍率が上昇して行くから、所望の撮影倍率で上昇を停止すれば、撮影倍率を調節することが不用となって使い勝手の良い電子カメラを提供できる。
【００５６】
そして、ユーザによる電子カメラの電源投入手段を備え、前記操作部と前記撮像部との相対的な回動を検出する検出手段からの信号により、または、前記電源投入手段により、前記電源投入の動作をおこなうことにより、電子カメラの起動前に撮像部を回動させて準備した後電源を入れる場合は自動的に、起動した後撮像部を回転させる場合はユーザが電源投入をおこなうことができ、使い勝手の良い電子カメラを提供できる。
【００５７】
また操作部と撮像部との相対的な回動の検出手段により、撮影レンズ窓が表示装置の表示面側に位置するように撮像部が回動した（自分撮り）ときと、撮影レンズ窓が表示装置の表示面と反対側に位置するように撮像部を回動した（自分撮りでない）とき、撮影用ズームレンズを広角側に設定する制御とズームレンズのズーム倍率を上昇させる制御とを選択的におこなうようにすることにより、自分撮りの場合は広角側からズームの倍率が上昇させ、所望の撮影倍率で上昇を停止させれば撮影倍率を調節することが不用となり、自分撮りでない場合は、振動などによってズームレンズに精度の狂いが生じても、撮影用ズームレンズを広角側に初期設定することでこの狂いをリセットすることが可能となり、使い勝手の良い電子カメラを提供することができる。
【００５８】
さらに操作部と撮像部との相対的な回動の検出手段により、撮影レンズ窓が表示装置の表示面側に位置するように撮像部が回動したこと（自分撮り）を検出したときと、撮影レンズ窓が表示装置の表示面と反対側に位置するように撮像部を回動したこと（自分撮りでない）を検出したとき、ズームレンズのズーム倍率を上昇させる制御と下降させる制御とを選択的におこなうことにより、自分撮りの場合はと自分撮りでない場合とで、ズーム倍率の上昇と下降を自由に選択でき、使い勝手の良い電子カメラを提供することができる。
そして前記ズーム倍率を記憶する記憶手段を備え、前記制御手段は、前記記憶手段に記憶されたズーム倍率に基づいて前記ズーム倍率を変更する制御をおこなうことにより、撮影者はズーム倍率を心配することなく最適な倍率を得ることができる。
【００５９】
そして前記制御手段は、前記ズーム倍率を上昇させる制御を所定倍率で停止させる制御することにより、撮影者はなんの操作をすることなく、最適な撮影倍率を得ることができる。
【００６０】
さらにこの前記制御手段は、前記撮像部側ズームレンズの合焦手段からの信号で算出した被写体までの距離と、前記所定倍率とにより該所定倍率となるズームレンズの焦点距離を算出し、該算出した焦点距離でズーム倍率の変更を停止させることにより、自分撮りを撮影者が手持ちでおこなう場合も三脚に固定しておこなう場合も、表示装置上における被写体の大きさを常に一定にして撮影することができ、非常に使い勝手の良い電子カメラを提供することができる。
【００６１】
また、このように自動的に所定倍率とするのではなく、前記操作部に、前記制御手段によるズーム倍率を変更させる制御を強制的に停止させる信号を発する手段を設け、手動でズーム倍率を決定するようにすれば、撮影者の好みの倍率で撮影をおこなうことができる。
【００６２】
そしてさらに前記操作部に、前記制御手段によるズーム倍率を変更させる制御を予め定めた所定倍率で停止させる制御と、前記ズーム倍率を変更させる制御を強制的に停止させる信号を発する手段からの信号で強制停止させる制御とを選択する手段を設けることにより、撮影者はこの両者から自由に選択して自分撮りをおこなうことができる。
【００６３】
なお本発明は、上記の実施の形態例に限定されるものではなく、本発明の要旨を逸脱しない範囲内での種々の改良や変更等は何ら差し支えない。
例えば、上記実施例においては自分撮りの場合で、ズーム倍率を自動設定に進んだ場合にメモリに記憶されている所定倍率を読み出して撮影をおこなっているが、これに代えて、表示装置に表示される画像のうち、特定の画像を指定し、この指定した画像が表示画面全体の所定の割合の大きさになるようにズーム倍率を変更するようにしても良い。
この時、特定画像の選択や表示画面に表示される特定画像の大きさの割合は、ユーザによって設定できる。
また、物体の特定は、その物体を指定したときの明るさや色彩の同一なもの等で選択でき、明るさや色彩が変化しても、随時それを特定し、所定のズーム倍率に合わせることができる。
【００６４】
【発明の効果】
かくして本発明の電子カメラによれば、自分撮りに際して撮影倍率調節の煩わしさを解消して操作性を向上させると共に、振動などによる精度の狂いを確実にリセットできる。
【図面の簡単な説明】
【図１】本発明になる電子カメラの一実施形態の全体図である。
【図２】本発明になる電子カメラのレンズを被写体方向に向けた撮影状態を示した図である。
【図３】本発明になる電子カメラのレンズを、自分撮りのためにカメラ操作者（自分）方向に向けた撮影状態を示した図である。
【図４】本発明になる電子カメラの一実施形態の制御回路ブロック図である。
【図５】本発明になる電子カメラの一実施形態における自分撮りの際の動作フロー図である。
【図６】操作部と撮像部とを相対的に回転させる回転機構としてのヒンジ機構の一例を撮像部側に組み込み、操作部における上カバーと内部構成部品を取り去って結合部を示した斜視図である。
【図７】図６に示したヒンジ機構の一例を分解した斜視図である。
【図８】本発明になる電子カメラの第二実施形態における動作フロー図である。
【図９】本発明になる電子カメラの第二実施形態における動作フロー図である。
【符号の説明】
１０  ズームレンズ
１１  合焦（オートフォーカス：ＡＦ）用レンズ
１２  撮像素子
１３  ズームモータ
１４  ＡＦモータ
１５  ズームモータドライバ回路
１６  ＡＦモータドライバ回路
２０  撮像素子駆動回路
２１  信号処理回路
２２  メモリ
２３  インターフェイス
２４  外部記憶装置
２５  メモリカードインターフェイス
２６  表示装置ドライバ回路
２７  測光・調光ブロック
２８  ストロボと駆動回路
２９  キー入力信号
３０  外部ＬＥＤ表示装置駆動回路
３１  ズーム停止釦
３２  切り替え釦
【図１】
2005051455.tif 000003
【図２】
2005051455.tif 000004
【図３】
2005051455.tif 000005
【図４】
2005051455.tif 000006
【図５】
2005051455.tif 000007
【図６】
2005051455.tif 000008
【図７】
2005051455.tif 000009
【図８】
2005051455.tif 000010
【図９】
2005051455.tif 000011